(57)【特許請求の範囲】
【請求項１】
送話音声に係る物理量を閾値と比較した比較結果に基づいて送話系の一部への電力の供給を停止したり或いは供給する電力を低減するＶＯＸ制御手段と、このＶＯＸ制御手段の動作を制御する制御手段とを備えてなり、複数の使用状態として、ハンドセットマイクが入力した音声を送話音声として処理するハンドセット使用状態、ハンズフリーマイクが入力した音声を送話音声として処理するハンズフリー使用状態およびイヤホンマイクが入力した音声を送話音声として処理するイヤホン使用状態のうちのいずれかの使用状態に遷移可能に構成されてなる移動電話機において、
前記複数の使用状態に対応する複数の閾値を記憶する記憶手段と、
移動電話機が前記複数の使用状態のうちのいずれの使用状態に遷移しているかを検出する使用状態検出手段とを備え、
前記制御手段は、前記記憶手段が記憶している複数の閾値のうちから前記使用状態検出手段の検出結果に応じた閾値を選択し、その選択した閾値に基づいて前記ＶＯＸ制御手段を動作させることを特徴とする移動電話機。
【請求項２】
前記使用状態検出手段は、前記ハンズフリーマイクおよび前記イヤホンマイクの接続状態を自動的に検出することにより、前記ハンドセット使用状態、前記ハンズフリー使用状態および前記イヤホン使用状態のうちのいずれの使用状態に遷移しているかを検出することを特徴とする請求項１記載の移動電話機。
【請求項３】
前記使用状態検出手段は、前記ハンズフリーマイクが接続され、且つ、ハンドセットがクレードルに装着されている或いはそれに相等する状態を検出することにより、前記ハンズフリー使用状態に遷移していることを検出することを特徴とする請求項２記載の移動電話機。
【請求項４】
送話音声に係る物理量を閾値と比較した比較結果に基づいて送話系の一部への電力の供給を停止したり或いは供給する電力を低減するＶＯＸ制御手段と、このＶＯＸ制御手段の動作を制御する制御手段とを備えてなり、複数の使用状態に遷移可能に構成されてなる移動電話機において、
前記複数の使用状態に対応する複数の閾値を記憶する記憶手段と、
移動電話機が前記複数の使用状態のうちのいずれの使用状態に遷移しているかを検出する使用状態検出手段とを備え、
前記ＶＯＸ制御手段は、送話音声に係る物理量として互いに異なる単位を有する複数の物理量のうちの少なくとも１つの物理量を閾値と比較するように構成され、
前記制御手段は、一の使用状態に遷移していることを前記使用状態検出手段が検出したときには、一の単位を有する少なくとも１つの一の閾値を選択し、その選択した少なくとも１つの一の閾値に基づいて前記ＶＯＸ制御手段を動作させ、前記一の使用状態とは互いに異なる他の使用状態に遷移していることを前記使用状態検出手段が検出したときには、前記一の単位とは互いに異なる他の単位を有する少なくとも１つの他の閾値を選択し、その選択した少なくとも１つの他の閾値に基づいて前記ＶＯＸ制御手段を動作させることを特徴とする移動電話機。
【請求項５】
前記複数の使用状態として、ハンドセットマイクが入力した音声を送話音声として処理するハンドセット使用状態、ハンズフリーマイクが入力した音声を送話音声として処理するハンズフリー使用状態およびイヤホンマイクが入力した音声を送話音声として処理するイヤホン使用状態のうちのいずれかの使用状態に遷移可能に構成され、
前記ＶＯＸ制御手段は、送話音声に係る物理量として送話音声のパワー或いは送話音声の周波数成分を閾値と比較するように構成され、
前記制御手段は、前記ハンドセット使用状態或いは前記イヤホン使用状態に遷移していることを前記使用状態検出手段が検出したときには、送話音声のパワーに係る閾値および送話音声の周波数成分に係る閾値を選択し、その選択した送話音声のパワーに係る閾値および送話音声の周波数成分に係る閾値に基づいて前記ＶＯＸ制御手段を動作させ、前記ハンズフリー使用状態に遷移していることを前記使用状態検出手段が検出したときには、送話音声のパワーに係る閾値を選択し、その選択した送話音声のパワーに係る閾値に基づいて前記ＶＯＸ制御手段を動作させることを特徴とする請求項４記載の移動電話機。
【請求項６】
送話音声に係る物理量を閾値と比較した比較結果に基づいて送話系の一部への電力の供給を停止したり或いは供給する電力を低減するＶＯＸ制御手段と、このＶＯＸ制御手段の動作を制御する制御手段とを備えてなり、複数の使用状態に遷移可能に構成されてなる移動電話機において、
前記複数の使用状態に対応する複数の閾値を記憶する記憶手段と、
移動電話機が前記複数の使用状態のうちのいずれの使用状態に遷移しているかを検出する使用状態検出手段とを備え、
前記記憶手段は、前記複数の使用状態に対応する複数の帯域条件を記憶するように構成され、
前記制御手段は、一の使用状態に遷移していることを前記使用状態検出手段が検出したときには、一の所定周波数帯域を有する一の帯域条件を選択し、その選択した一の帯域条件に基づいて前記ＶＯＸ制御手段を動作させ、前記一の使用状態とは互いに異なる他の使用状態に遷移していることを前記使用状態検出手段が検出したときには、前記一の所定周波数帯域とは互いに異なる他の所定周波数帯域を有する他の帯域条件を選択し、その選択した他の帯域条件に基づいて前記ＶＯＸ制御手段を動作させることを特徴とする移動電話機。
【請求項７】
前記複数の使用状態として、ハンドセットマイクが入力した音声を送話音声として処理するハンドセット使用状態、ハンズフリーマイクが入力した音声を送話音声として処理するハンズフリー使用状態およびイヤホンマイクが入力した音声を送話音声として処理するイヤホン使用状態のうちのいずれかの使用状態に遷移可能に構成され、
前記制御手段は、前記ハンドセット使用状態或いは前記イヤホン使用状態に遷移していることを前記使用状態検出手段が検出したときには、一の所定周波数帯域を有する一の帯域条件を選択し、その選択した一の帯域条件に基づいて前記ＶＯＸ制御手段を動作させ、前記ハンズフリー使用状態に遷移していることを前記使用状態検出手段が検出したときには、前記一の所定周波数帯域とは互いに異なる他の所定周波数帯域を有する他の帯域条件を選択し、その選択した他の帯域条件に基づいて前記ＶＯＸ制御手段を動作させることを特徴とする請求項６記載の移動電話機。
【請求項８】
送話音声に係る物理量を閾値と比較した比較結果に基づいて送話系の一部への電力の供給を停止したり或いは供給する電力を低減するＶＯＸ制御手段と、このＶＯＸ制御手段の動作を制御する制御手段とを備えてなり、複数の使用状態に遷移可能に構成されてなる移動電話機において、
前記複数の使用状態に対応する複数の閾値を記憶する記憶手段と、
移動電話機が前記複数の使用状態のうちのいずれの使用状態に遷移しているかを検出する使用状態検出手段とを備え、
前記制御手段は、前記記憶手段が記憶している複数の閾値のうちから操作手段における所定操作に応じた閾値を選択し、その選択した閾値に基づいて前記ＶＯＸ制御手段を動作させることを特徴とする移動電話機。
【発明の詳細な説明】
【０００１】
【発明の属する技術分野】
本発明は、送話音声に係る物理量を閾値と比較した比較結果に基づいて送話系の一部への電力の供給を停止したり或いは供給する電力を低減するように構成されてなる移動電話機に関する。
【０００２】
【発明が解決しようとする課題】
従来より、携帯電話機や車載用電話機などの移動電話機が広く普及している。さて、この種の移動電話機は、ＶＯＸ（Voice Operated Transmitter）機能を備えているのが一般的な構成となっている。ＶＯＸ機能とは、マイクが入力する送話音声の例えばパワーを閾値（音声パワー閾値）と比較することにより、送話音声のパワーが閾値未満であれば、無音区間であると判定し、送話系の一部の回路への電力の供給を停止したり或いは供給する電力を低減し、無音区間において、移動電話機としての消費電力の低減化を図るものである。
【０００３】
しかしながら、従来の移動電話機においては、有音および無音を判定するための閾値が移動電話機の使用状態とは関係なく一定となっていることから、次に示すような問題がある。すなわち、移動電話機の使用状態としては、ハンズフリーマイクおよびイヤホンマイクの双方を接続しない状態で使用するハンドセット使用状態、ハンズフリーマイクを接続した状態で使用するハンズフリー使用状態、イヤホンマイクを接続した状態で使用するイヤホン使用状態があり、各々のマイクが入力する送話音声の特性は、各々の使用状態において互いに異なるものである。
【０００４】
そのため、上記したように閾値が一定となっていると、例えばハンドセット使用状態ではＶＯＸ機能が的確に働いた場合であっても、ハンズフリー使用状態ではＶＯＸ機能が的確に働かなくなる場合があり、それに起因して、音質が劣化してしまうなどの問題がある。
【０００５】
この場合、無音区間の判定は、上記したような送話音声のパワーを閾値と比較する方法の他に、送話音声の単位時間あたりのパワーを閾値（音声パワー差分閾値）と比較する方法、送話音声の特定の帯域のパワーを閾値（帯域パワー閾値）と比較する方法および送話音声の周波数成分（例えば反射係数）を閾値（周波数成分閾値）と比較する方法などがあるが、これらのいずれの方法においても、各々の閾値が移動電話機の使用状態とは関係なく一定となっていることから、上記した場合と同様にして、上記した問題と同様の問題が生じるものである。
【０００６】
本発明は、上記した事情に鑑みてなされたものであり、その目的は、複数の使用状態のうちのいずれの使用状態であっても、ＶＯＸ機能を的確に働かせることができ、それにより、音質が劣化することを未然に回避することができる移動電話機を提供することにある。
【０００７】
【課題を解決するための手段】
請求項１記載の移動電話機によれば、記憶手段は、移動電話機の複数の使用状態に対応する複数の閾値を記憶し、使用状態検出手段は、移動電話機が複数の使用状態として、ハンドセットマイクが入力した音声を送話音声として処理するハンドセット使用状態、ハンズフリーマイクが入力した音声を送話音声として処理するハンズフリー使用状態およびイヤホンマイクが入力した音声を送話音声として処理するイヤホン使用状態のうちのいずれの使用状態に遷移しているかを検出する。そして、制御手段は、記憶手段が記憶している複数の閾値のうちから使用状態検出手段の検出結果に応じた閾値を選択し、その選択した閾値に基づいてＶＯＸ制御手段を動作させ、ＶＯＸ制御手段は、送話音声に係る物理量を閾値と比較し、その比較結果に基づいて送話系の一部への電力の供給を停止したり或いは供給する電力を低減する。
【０００８】
すなわち、このものによれば、移動電話機の使用状態を検出し、複数の閾値のうちから移動電話機の使用状態に応じた閾値を選択し、送話音声に係る物理量を当該選択した閾値と比較し、その比較結果に基づいて送話系の一部への電力の供給を停止したり或いは供給する電力を低減するように構成したので、複数の閾値として複数の使用状態に好適する値を設定しておくことにより、移動電話機がハンドセット使用状態、ハンズフリー使用状態およびイヤホン使用状態のうちのいずれの使用状態であっても、ＶＯＸ機能を的確に働かせることができ、それにより、音質が劣化することを未然に回避することができる。
【０００９】
請求項２記載の移動電話機によれば、使用状態検出手段は、ハンズフリーマイクおよびイヤホンマイクの接続状態を自動的に検出することにより、ハンドセット使用状態、ハンズフリー使用状態およびイヤホン使用状態のうちのいずれの使用状態に遷移しているかを検出する。
【００１０】
すなわち、このものによれば、ハンズフリーマイクおよびイヤホンマイクの接続状態を自動的に検出することにより、ハンドセット使用状態、ハンズフリー使用状態およびイヤホン使用状態のうちのいずれの使用状態に遷移しているかを検出するように構成したので、ハンズフリーマイクおよびイヤホンマイクの双方を接続しないことにより、ハンドセット使用状態において、自動的に、ハンドセット使用状態に最適なＶＯＸ機能を的確に働かせることができ、また、ハンズフリーマイクを接続することにより、ハンズフリー使用状態において、自動的に、ハンズフリー使用状態に最適なＶＯＸ機能を的確に働かせることができ、さらに、イヤホンマイクを接続することにより、イヤホン使用状態において、自動的に、イヤホン使用状態に最適なＶＯＸ機能を的確に働かせることができる。
【００１１】
請求項３記載の移動電話機によれば、使用状態検出手段は、ハンズフリーマイクが接続され、且つ、ハンドセットがクレードルに装着されている或いはそれに相等する状態を検出することにより、ハンズフリー使用状態に遷移していることを検出する。
【００１２】
すなわち、このものによれば、ハンズフリーマイクが接続され、且つ、ハンドセットがクレードルに装着されている或いはそれに相等する状態を検出することにより、ハンズフリー使用状態に遷移していることを検出するように構成したので、ハンズフリーマイクを接続し、且つ、ハンドセットをクレードルに装着する或いはそれに相等する状態にすることにより、ハンズフリー使用状態において、自動的に、ハンズフリー使用状態に最適なＶＯＸ機能を的確に働かせることができる。
【００１３】
請求項４記載の移動電話機によれば、記憶手段は、移動電話機の複数の使用状態に対応する複数の閾値を記憶し、使用状態検出手段は、移動電話機が複数の使用状態のうちのいずれの使用状態に遷移しているかを検出する。そして、制御手段は、一の使用状態に遷移していることを使用状態検出手段が検出したときには、一の単位を有する少なくとも１つの一の閾値を選択し、その選択した少なくとも１つの一の閾値に基づいてＶＯＸ制御手段を動作させ、一の使用状態とは互いに異なる他の使用状態に遷移していることを使用状態検出手段が検出したときには、一の単位とは互いに異なる少なくとも１つの他の単位を有する他の閾値を選択し、その選択した少なくとも１つの他の閾値に基づいてＶＯＸ制御手段を動作させる。
【００１４】
すなわち、このものによれば、一の使用状態に遷移していれば、一の単位を有する少なくとも１つの一の閾値に基づいてＶＯＸ機能を働かせ、一方、一の使用状態とは互いに異なる他の使用状態に遷移していれば、一の単位とは互いに異なる他の単位を有する少なくとも１つの他の閾値に基づいてＶＯＸ機能を働かせるように構成したので、各々の使用状態に応じて、互いに異なる単位を有する最適な閾値を選択することにより、ＶＯＸ機能を的確に働かせることができる。
【００１５】
請求項５記載の移動電話機によれば、制御手段は、ハンドセット使用状態或いはイヤホン使用状態に遷移していることを使用状態検出手段が検出したときには、送話音声のパワーに係る閾値および送話音声の周波数成分に係る閾値を選択し、その選択した送話音声のパワーに係る閾値および送話音声の周波数成分に係る閾値に基づいてＶＯＸ制御手段を動作させ、ハンズフリー使用状態に遷移していることを使用状態検出手段が検出したときには、送話音声のパワーに係る閾値を選択し、その選択した送話音声のパワーに係る閾値に基づいてＶＯＸ制御手段を動作させる。
【００１６】
すなわち、このものによれば、ハンドセット使用状態或いはイヤホン使用状態に遷移していれば、送話音声のパワーに係る閾値および送話音声の周波数成分に係る閾値に基づいてＶＯＸ機能を働かせ、一方、ハンズフリー使用状態に遷移していれば、送話音声のパワーに係る閾値に基づいてＶＯＸ機能を働かせるように構成したので、一般的に、ハンドセット使用状態或いはイヤホン使用状態では、周囲音の影響を受け難く、一方、ハンズフリー使用状態では、周囲音の影響を受け易いことを鑑みると、ハンドセット使用状態或いはイヤホン使用状態においては、送話音声のパワーを閾値と比較することに加えて、送話音声の周波数成分をも閾値と比較することにより、その分、ＶＯＸ機能を的確に働かせることができる。
【００１７】
請求項６記載の移動電話機によれば、記憶手段は、複数の使用状態に対応する複数の帯域条件を記憶し、制御手段は、一の使用状態に遷移していることを使用状態検出手段が検出したときには、一の所定周波数帯域を有する一の帯域条件を選択し、その選択した一の帯域条件に基づいてＶＯＸ制御手段を動作させ、一の使用状態とは互いに異なる他の使用状態に遷移していることを使用状態検出手段が検出したときには、一の所定周波数帯域とは互いに異なる他の所定周波数帯域を有する他の帯域条件を選択し、その選択した他の帯域条件に基づいてＶＯＸ制御手段を動作させる。
【００１８】
すなわち、このものによれば、一の使用状態に遷移していれば、一の所定周波数帯域を有する一の帯域条件に基づいてＶＯＸ機能を働かせ、一方、一の使用状態とは互いに異なる他の使用状態に遷移していれば、一の所定周波数帯域とは互いに異なる他の所定周波数帯域を有する他の帯域条件に基づいてＶＯＸ機能を働かせるように構成したので、各々の使用状態に応じて、互いに異なる周波数帯域を有する最適な帯域条件を選択することにより、ＶＯＸ機能を的確に働かせることができる。
【００１９】
請求項７記載の移動電話機によれば、ハンドセット使用状態或いはイヤホン使用状態に遷移していることを使用状態検出手段が検出したときには、一の所定周波数帯域を有する一の帯域条件を選択し、その選択した一の帯域条件に基づいてＶＯＸ制御手段を動作させ、ハンズフリー使用状態に遷移していることを使用状態検出手段が検出したときには、一の所定周波数帯域とは互いに異なる他の所定周波数帯域を有する他の帯域条件を選択し、その選択した他の帯域条件に基づいてＶＯＸ制御手段を動作させる。
【００２０】
すなわち、このものによれば、ハンドセット使用状態或いはイヤホン使用状態に遷移していれば、一の所定周波数帯域を有する一の帯域条件に基づいてＶＯＸ機能を働かせ、一方、ハンズフリー使用状態に遷移していれば、一の所定周波数帯域とは互いに異なる他の所定周波数帯域を有する他の帯域条件に基づいてＶＯＸ機能を働かせるように構成したので、一般的に、ハンズフリー使用状態では、車内において使用されることが多く、運転中における周囲音の低周波数帯域の影響を受け易いことを鑑みると、例えば一の所定周波数帯域から低周波数帯域を除いた周波数帯域を他の所定周波数帯域とすることにより、その分、ＶＯＸ機能を的確に働かせることができる。
【００２１】
請求項８記載の移動電話機によれば、記憶手段は、移動電話機の複数の使用状態に対応する複数の閾値を記憶し、使用状態検出手段は、移動電話機が複数の使用状態のうちのいずれの使用状態に遷移しているかを検出する。そして、制御手段は、記憶手段が記憶している複数の閾値のうちから操作手段における所定操作に応じた閾値を選択し、その選択した閾値に基づいてＶＯＸ制御手段を動作させ、ＶＯＸ制御手段は、送話音声に係る物理量を閾値と比較し、その比較結果に基づいて送話系の一部への電力の供給を停止したり或いは供給する電力を低減する。
【００２２】
すなわち、このものによれば、複数の閾値のうちから操作手段における所定操作に応じた閾値を選択し、送話音声に係る物理量を当該選択した閾値と比較し、その比較結果に基づいて送話系の一部への電力の供給を停止したり或いは供給する電力を低減するように構成したので、操作手段において所定操作を行うことにより、移動電話機がいずれの使用状態であっても、手動により、ＶＯＸ機能を的確に働かせることができる。
【００２８】
【発明の実施の形態】
（第１の実施の形態）
以下、本発明を携帯電話機に適用した第１実施例について、図１ないし図４を参照して説明する。
図１は、携帯電話機における送話系の構成を機能ブロック図として示している。携帯電話機１は、ハンドセットマイク２が入力する音声を送話音声として処理することが可能であり、また、ハンズフリーマイク３を本体（図示せず）に接続することにより、ハンズフリーマイク３が入力する音声を送話音声として処理することが可能であり、さらに、イヤホンマイク４を本体に接続することにより、イヤホンマイク４が入力する音声を送話音声として処理することが可能な構成となっている。
【００２９】
切替部５は、上記したハンズフリーマイク３およびイヤホンマイク４の接続状態を検出し、その検出結果を使用状態検出部６（本発明でいう使用状態検出手段）に出力すると共に、その検出結果に応じて送話音声の経路を切替える。
【００３０】
すなわち、切替部５は、ハンズフリーマイク３およびイヤホンマイク４のいずれも接続していなければ、ハンドセットマイク２が入力する音声を送話音声としてアナログアンプ７に出力するように送話音声の経路を切替え、また、ハンズフリーマイク３を接続し、且つ、ハンドセットをクレードル（図示せず）に装着する或いはそれに相等する状態であれば、ハンズフリーマイク３が入力する音声を送話音声としてアナログアンプ７に出力するように送話音声の経路を切替え、さらに、イヤホンマイク４を接続していれば、イヤホンマイク４が入力する音声を送話音声としてアナログアンプ７に出力するように送話音声の経路を切替える。
【００３１】
アナログアンプ７は、ハンドセットマイク２、ハンズフリーマイク３およびイヤホンマイク４のうちのいずれかから切替部５を通じて送話音声を入力すると、その入力した送話音声を増幅し、送話音声をフィルタ８に出力し、フィルタ８は、アナログアンプ７から送話音声を入力すると、その入力した送話音声から不要周波数成分を除去し、送話音声をＡ／Ｄ変換部９に出力する。
【００３２】
そして、Ａ／Ｄ変換部９は、フィルタ８から送話音声を入力すると、その入力した送話音声をアナログ信号からデジタル信号に変換し、送話音声をＶＯＸ（Voice Operated Transmitter）制御部１０（本発明でいうＶＯＸ制御手段）および音声符号化部１１に出力する。
【００３３】
また、使用状態検出部６は、切替部５から検出結果を入力すると、その入力した検出結果に応じて、携帯電話機１の使用状態を検出し、その検出結果を制御部１２（本発明でいう制御手段）に出力する。
【００３４】
記憶部１３（本発明でいう記憶手段）は、プログラムを記憶していると共に、図２に示すように、ハンドセット用閾値／帯域条件テーブル、ハンズフリー用閾値／帯域条件テーブルおよびイヤホン用閾値／帯域条件テーブルの３つの閾値／帯域条件テーブルを記憶している。この場合、記憶部１３は、ハンドセット使用状態、ハンズフリー使用状態およびイヤホン使用状態の各々の閾値／帯域条件テーブルとしては、音声パワー閾値、音声パワー差分閾値、帯域パワー閾値および周波数成分閾値の４つの閾値をＶＯＸ機能が最適となる値で記憶していると共に、周波数帯域を示す帯域条件を記憶している。
【００３５】
制御部１２は、使用状態検出部６から検出結果を入力すると、その入力した検出結果に応じて、記憶部１３が記憶している上記した３つの閾値／帯域条件テーブルのうちからいずれかの閾値／帯域条件テーブルを選択し、その選択した閾値／帯域条件テーブルが記憶している４つの閾値のうちから少なくとも１つの閾値を選択し、その選択した閾値を読出すと共に、場合によっては、その選択した閾値／帯域条件テーブルが記憶している帯域条件をも読出す。
【００３６】
そして、制御部１２は、記憶部１３から読出した閾値或いは帯域条件をＶＯＸ閾値／帯域条件設定部１４に出力し、ＶＯＸ閾値／帯域条件設定部１４は、制御部１２から閾値或いは帯域条件を入力すると、その入力した閾値或いは帯域条件を上記したＶＯＸ制御部１０に出力する。
【００３７】
ＶＯＸ制御部１０は、ＶＯＸ閾値／帯域条件設定部１４から閾値のみを入力した場合には、Ａ／Ｄ変換部９から送話音声を入力すると、その入力した送話音声に係る物理量をＶＯＸ閾値／帯域条件設定部１４から入力した閾値と比較することにより、有音区間或いは無音区間を判定し、その判定結果を上記した音声符号化部１１および送信制御部１５に出力する。
【００３８】
また、ＶＯＸ制御部１０は、ＶＯＸ閾値／帯域条件設定部１４から閾値および帯域条件を入力した場合には、Ａ／Ｄ変換部９から送話音声を入力すると、その入力した送話音声にあって帯域条件が示す周波数帯域に係る物理量をＶＯＸ閾値／帯域条件設定部１４から入力した閾値と比較することにより、有音区間或いは無音区間を判定し、その判定結果を上記した音声符号化部１１および送信制御部１５に出力する。
【００３９】
音声符号化部１１は、Ａ／Ｄ変換部９から送話音声を入力すると、その入力した送話音声を所定の音声符号化アルゴリズムに準じて符号化し、ＶＯＸ制御部１０から入力した判定結果が有音区間であることを示すものであれば、送話音声を伝送路符号化部１６に出力する。
【００４０】
伝送路符号化部１６は、音声符号化部１１から送話音声を入力すると、その入力した送話音声を誤り訂正やビットの並び換えなど伝送路符号化し、変調部１７に出力する。そして、変調部１７は、伝送路符号化部１６から送話音声を入力すると、その入力した送話音声を変調し、送話音声を無線送信部１８に出力し、無線送信部１８は、変調部１７から送話音声を入力すると、その入力した送話音声をアンテナ１８ａから送信電波として送信する。
【００４１】
ここで、上記した構成においては、送信制御部１５は、ＶＯＸ制御部１０から入力した判定結果が有音区間を示すものであれば、変調部１７および無線送信部１８に所定レベルの電力を供給し、これとは逆に、ＶＯＸ制御部１０から入力した判定結果が無音区間を示すものであれば、変調部１７および無線送信部１８に所定レベルの電力の供給を停止したり或いは供給する電力を所定レベル未満とすることにより、無音区間において、携帯電話機１としての消費電力の低減化を図ることが可能となるものである。
【００４２】
次に、上記した構成の作用について、図３および図４も参照して説明する。尚、ここでは、制御部１２は、図３に示すように、各々の使用状態において、記憶部１３から音声パワー閾値のみを読出し、つまり、記憶部１３から音声パワー閾値以外の閾値である音声パワー差分閾値、帯域パワー閾値および周波数成分閾値を読出すことはなく、また、記憶部１３から帯域条件を読出すことはないもの仮定する。
【００４３】
制御部１２は、記憶部１３に記憶されているプログラムを実行することによって、以下の処理を行う。すなわち、制御部１２は、まず、携帯電話機１の使用状態を検出する要求（イベント）が発生したか否かを判定する（ステップＳ１）。ここで、制御部１２は、携帯電話機１の使用状態を検出する要求が発生すると、ステップＳ１において「ＹＥＳ」と判定し、使用状態検出部６から入力した検出結果を判定し（ステップＳ２）、その時点における使用状態を検出し（本発明でいう第１の手順）、その時点における使用状態と直前の使用状態とが同一であるか否かを判定する（ステップＳ３）。
【００４４】
ここで、制御部１２は、その時点における使用状態と直前の使用状態とが互いに異なっていれば、ステップＳ３において「ＮＯ」と判定し、使用状態検出部６から入力した検出結果に応じて、これ以降、ハンドセット用閾値／帯域条件テーブル、ハンズフリー用閾値／帯域条件テーブルおよびイヤホン用閾値／帯域条件テーブルの３つの閾値／帯域条件テーブルのうちからいずれかの閾値／帯域条件テーブルを選択し、その選択した閾値／帯域条件テーブルから、ここでは、音声パワー閾値のみを読出す（本発明でいう第２の手順）。
【００４５】
すなわち、制御部１２は、使用状態検出部６から入力した検出結果がハンドセット使用状態を示すものであれば、ステップＳ４において「ＹＥＳ」と判定し、ハンドセット用閾値／帯域条件テーブルを選択し、その選択したハンドセット用閾値／帯域条件テーブルから音声パワー閾値（ＴＨＳ＿Ｐ）を読出す（ステップＳ５）。
【００４６】
そして、制御部１２は、記憶部１３から読出した音声パワー閾値（ＴＨＳ＿Ｐ）をＶＯＸ閾値／帯域条件設定部１４に出力し、ＶＯＸ制御部１０を記憶部１３から読出した音声パワー閾値（ＴＨＳ＿Ｐ）に基づいて動作させる（本発明でいう第３の手順）。これによって、ＶＯＸ制御部１０は、Ａ／Ｄ変換部９から入力した送話音声のパワーをハンドセット用の閾値である音声パワー閾値（ＴＨＳ＿Ｐ）と比較し、送話音声のパワーが音声パワー閾値（ＴＨＳ＿Ｐ）以上であれば、有音区間であると判定し、一方、送話音声のパワーが音声パワー閾値（ＴＨＳ＿Ｐ）未満であれば、無音区間であると判定する。
【００４７】
また、制御部１２は、使用状態検出部６から入力した検出結果がハンズフリー使用状態を示すものであれば、ステップＳ４において「ＮＯ」と判定し、ステップＳ６において「ＹＥＳ」と判定し、ハンズフリー用閾値／帯域条件テーブルを選択し、その選択したハンズフリー用閾値／帯域条件テーブルから音声パワー閾値（ＴＨＦ＿Ｐ）を読出す（ステップＳ７）。
【００４８】
そして、制御部１２は、記憶部１３から読出した音声パワー閾値（ＴＨＦ＿Ｐ）をＶＯＸ閾値／帯域条件設定部１４に出力し、ＶＯＸ制御部１０を記憶部１３から読出した音声パワー閾値（ＴＨＦ＿Ｐ）に基づいて動作させる（本発明でいう第３の手順）。これによって、ＶＯＸ制御部１０は、Ａ／Ｄ変換部９から入力した送話音声のパワーをハンズフリー用の閾値である音声パワー閾値（ＴＨＦ＿Ｐ）と比較し、送話音声のパワーが音声パワー閾値（ＴＨＦ＿Ｐ）以上であれば、有音区間であると判定し、一方、送話音声のパワーが音声パワー閾値（ＴＨＦ＿Ｐ）未満であれば、無音区間であると判定する。
【００４９】
さらに、制御部１２は、使用状態検出部６から入力した検出結果がイヤホン使用状態を示すものであれば、ステップＳ４において「ＮＯ」と判定し、ステップＳ６において「ＮＯ」と判定し、イヤホン用閾値／帯域条件テーブルを選択し、その選択したイヤホン用閾値／帯域条件テーブルから音声パワー閾値（ＴＥＭ＿Ｐ）を読出す（ステップＳ８）。
【００５０】
そして、制御部１２は、記憶部１３から読出した音声パワー閾値（ＴＥＭ＿Ｐ）をＶＯＸ閾値／帯域条件設定部１４に出力し、ＶＯＸ制御部１０を記憶部１３から読出した音声パワー閾値（ＴＥＭ＿Ｐ）に基づいて動作させる（本発明でいう第３の手順）。これによって、ＶＯＸ制御部１０は、Ａ／Ｄ変換部９から入力した送話音声のパワーをイヤホン用の閾値である音声パワー閾値（ＴＥＭ＿Ｐ）と比較し、送話音声のパワーが音声パワー閾値（ＴＥＭ＿Ｐ）以上であれば、有音区間であると判定し、一方、送話音声のパワーが音声パワー閾値（ＴＥＭ＿Ｐ）未満であれば、無音区間であると判定する。
【００５１】
ところで、以上は、各々の閾値／帯域条件テーブルから音声パワー閾値のみを読出す構成を説明したものであるが、音声パワー閾値のみを読出すことに限らず、音声パワー差分閾値、帯域パワー閾値および周波数成分閾値のうちのいずれかの閾値を読出す構成であっても良く、また、これら４つの閾値のうちの複数の閾値を組合わせて読出すような構成であっても良い。
【００５２】
そして、その場合、制御部１２は、音声パワー差分閾値を読出した場合であれば、送話音声の単位時間あたりのパワーを音声パワー差分閾値と比較し、送話音声の単位時間あたりのパワーが音声パワー差分閾値以上であれば、有音区間であると判定し、一方、送話音声の単位時間あたりのパワーが音声パワー差分閾値未満であれば、無音区間であると判定する。
【００５３】
また、制御部１２は、帯域パワー閾値を読出した場合であれば、送話音声の特定の帯域のパワーを帯域パワー閾値と比較し、送話音声の特定の帯域のパワーが帯域パワー閾値以上であれば、有音区間であると判定し、一方、送話音声の特定の帯域のパワーが帯域パワー閾値未満であれば、無音区間であると判定する。
【００５４】
さらに、制御部１２は、周波数成分閾値を読出した場合であれば、送話音声の周波数成分（例えば反射係数）を周波数成分閾値と比較し、送話音声の周波数成分が周波数成分閾値を越えていれば、無音区間であると判定する。
【００５５】
以上に説明したように第１実施例によれば、音声パワー閾値、音声パワー差分閾値、帯域パワー閾値および周波数成分閾値の４つの閾値のうちから少なくとも１つの閾値を携帯電話機１の使用状態に応じて読出し、送話音声のパワー、送話音声の単位時間あたりのパワー、送話音声の特定の帯域のパワーおよび送話音声の周波数成分の送話音声に係る４つの物理量うちの少なくとも１つの物理量を当該読出した閾値と比較し、その比較結果に基づいて送話系の一部である変調部１７および無線送信部１８への電力の供給を停止したり或いは供給する電力を低減するように構成したので、上記した４つの閾値としてハンドセット使用状態、ハンズフリー使用状態およびイヤホン使用状態の各々の使用状態に好適する値を設定しておくことにより、携帯電話機１がいずれの使用状態であっても、ＶＯＸ機能を的確に働かせることができ、それにより、音質が劣化することを未然に回避することができる。
【００５６】
また、この場合は、ハンズフリーマイク３およびイヤホンマイク４の接続状態を自動的に検出することにより、いずれの使用状態に遷移しているかを検出するように構成したので、ハンズフリーマイク３およびイヤホンマイク４の双方を接続しないことにより、ハンドセット使用状態において、自動的に、ハンドセット使用状態に最適なＶＯＸ機能を的確に働かせることができ、また、ハンズフリーマイク３を接続し、且つ、ハンドセットをクレードル（図示せず）に装着する或いはそれに相等する状態にすることにより、ハンズフリー使用状態において、自動的に、ハンズフリー使用状態に最適なＶＯＸ機能を的確に働かせることができ、さらに、イヤホンマイク４を接続することにより、イヤホン使用状態において、自動的に、イヤホン使用状態に最適なＶＯＸ機能を的確に働かせることができる。
【００５７】
（第２の実施の形態）
次に、本発明の第２実施例について、図５を参照して説明する。尚、上記した第１実施例と同一部分には説明を省略し、以下、異なる部分について説明する。
上記した第１実施例では、ハンドセット使用状態、ハンズフリー使用状態およびイヤホン使用状態の各々の閾値／帯域条件テーブルから同一の単位を有する閾値を読出すように構成したものであるが、これに対して、この第２実施例では、互いに異なる単位を有する閾値を読出すように構成したものである。
【００５８】
すなわち、制御部１２は、図５に示すように、ハンドセット使用状態であるときには、ハンドセット用閾値／帯域条件テーブルから例えば音声パワー閾値（ＴＨＳ＿Ｐ）および周波数成分閾値（ＴＨＳ＿ｒ）の２つの閾値を読出し、そして、ＶＯＸ制御部１０は、送話音声のパワーを音声パワー閾値（ＴＨＳ＿Ｐ）と比較すると共に、送話音声の周波数成分を周波数成分閾値（ＴＨＳ＿ｒ）と比較することにより、つまり、送話音声に係る２つの物理量を閾値と比較することにより、有音区間或いは無音区間を判定する。
【００５９】
また、制御部１２は、ハンズフリー使用状態であるときには、ハンズフリー用閾値／帯域条件テーブルから例えば音声パワー閾値（ＴＨＦ＿Ｐ）のみの１つの閾値を読出し、そして、ＶＯＸ制御部１０は、送話音声のパワーを音声パワー閾値（ＴＨＦ＿Ｐ）と比較することにより、つまり、送話音声に係る１つの物理量を閾値と比較することにより、有音区間或いは無音区間を判定する。
【００６０】
さらに、制御部１２は、イヤホン使用状態であるときには、イヤホン用閾値／帯域条件テーブルから例えば音声パワー閾値（ＴＥＭ＿Ｐ）および周波数成分閾値（ＴＥＭ＿ｒ）の２つの閾値を読出し、そして、ＶＯＸ制御部１０は、送話音声のパワーを音声パワー閾値（ＴＥＭ＿Ｐ）と比較すると共に、送話音声の周波数成分を周波数成分閾値（ＴＥＭ＿ｒ）と比較することにより、つまり、送話音声に係る２つの物理量を閾値と比較することにより、有音区間或いは無音区間を判定する。
【００６１】
以上に説明したように第２実施例によれば、上記した第１実施例と同様の作用効果を得ることができる。特に、この場合は、携帯電話機１がハンドセット使用状態或いはイヤホン使用状態に遷移していれば、音声パワー閾値および周波数成分閾値の２つの閾値に基づいてＶＯＸ機能を働かせ、一方、携帯電話機１がハンズフリー使用状態に遷移していれば、音声パワー閾値のみの１つの閾値に基づいてＶＯＸ機能を働かせるように構成したので、一般的に、ハンドセット使用状態或いはイヤホン使用状態では、周囲音の影響を受け難く、一方、ハンズフリー使用状態では、周囲音の影響を受け易いことを鑑みると、ハンドセット使用状態或いはイヤホン使用状態においては、送話音声のパワーを音声パワー閾値と比較することに加えて、送話音声の周波数成分を周波数成分閾値と比較することにより、その分、ＶＯＸ機能を的確に働かせることができる。
【００６２】
（第３の実施の形態）
次に、本発明の第３実施例について、図６ないし図８を参照して説明する。尚、上記した第１実施例と同一部分には説明を省略し、以下、異なる部分について説明する。
上記した第１実施例では、ハンドセット使用状態、ハンズフリー使用状態およびイヤホン使用状態の各々に対して１つの閾値／帯域条件テーブルを記憶する、つまり、ハンドセット使用状態に対して１つのハンドセット用閾値／帯域条件テーブルを記憶し、ハンズフリー使用状態に対して１つのハンズフリー用閾値／帯域条件テーブルを記憶し、イヤホン使用状態に対して１つのイヤホン用閾値／帯域条件テーブルを記憶するように構成したものであるが、これに対して、この第３実施例では、各々の使用状態に対して複数の閾値／帯域条件テーブルを記憶するものである。
【００６３】
すなわち、記憶部１３は、図６ないし図８に示すように、ハンドセット使用状態、ハンズフリー使用状態およびイヤホン使用状態の各々に対して閾値／帯域条件テーブルＡ〜閾値／帯域条件テーブルＣの３つの閾値／帯域条件テーブルを記憶しており、つまり、全体として、９つの閾値／帯域条件テーブルを記憶している。
【００６４】
そして、記憶部１３は、閾値／帯域条件テーブルＡとしては（図６参照）、ハンドセット使用状態、ハンズフリー使用状態およびイヤホン使用状態の各々において、音声パワー閾値、音声パワー差分閾値および帯域パワー閾値をＶＯＸ機能が最適となる値より大きな値で記憶しており、また、周波数成分閾値をＶＯＸ機能が最適となる値より小さな値で記憶しており、つまり、後述する閾値／帯域条件テーブルＢと比較すると、各閾値をＶＯＸ機能が働き易い値で設定している。
【００６５】
また、記憶部１３は、閾値／帯域条件テーブルＢとしては（図７参照）、ハンドセット使用状態、ハンズフリー使用状態およびイヤホン使用状態の各々において、音声パワー閾値、音声パワー差分閾値、帯域パワー閾値および周波数成分閾値をＶＯＸ機能が最適となる値で記憶している。
【００６６】
さらに、記憶部１３は、閾値／帯域条件テーブルＣとしては（図８参照）、ハンドセット使用状態、ハンズフリー使用状態およびイヤホン使用状態の各々において、音声パワー閾値、音声パワー差分閾値および帯域パワー閾値をＶＯＸ機能が最適となる値より小さな値で記憶しており、また、周波数成分閾値をＶＯＸ機能が最適となる値より大きな値で記憶しており、つまり、前述した閾値／帯域条件テーブルＢと比較すると、各閾値をＶＯＸ機能が働き難い値で設定している。
【００６７】
以上に説明したように第３実施例によれば、上記した第１実施例と同様の作用効果を得ることができる。特に、この場合は、閾値／帯域条件テーブルＡ〜閾値／帯域条件テーブルＣのうちの閾値／帯域条件テーブルＡから各閾値を読出すように構成することにより、ＶＯＸ機能を働きし易くすることができ、一方、閾値／帯域条件テーブルＡ〜閾値／帯域条件テーブルＣのうちの閾値／帯域条件テーブルＣから各閾値を読出すように構成することにより、ＶＯＸ機能を働きし難くすることができ、これにより、ＶＯＸ機能を働かせる程度を可変とすることができる。
【００６８】
（第４の実施の形態）
次に、本発明の第４実施例について、図９を参照して説明する。尚、上記した第１実施例と同一部分には説明を省略し、以下、異なる部分について説明する。上記した第１実施例では、ハンドセット使用状態、ハンズフリー使用状態およびイヤホン使用状態の各々において、閾値のみを読出し、帯域条件を読出すことはなく、つまり、各々の使用状態において、送話音声にあって同一の周波数帯域における物理量を閾値と比較するように構成したものであるが、これに対して、この第４実施例では、閾値を読出すことに加えて、帯域条件をも読出すことにより、各々の使用状態において、送話音声にあって互いに異なる周波数帯域における物理量を閾値と比較するように構成したものである。
【００６９】
すなわち、記憶部１３は、ハンドセット用帯域条件（ｆＨＳ＿Ｂ）およびイヤホン用帯域条件（ｆＥＭ＿Ｂ）として例えば０．３ｋＨｚ〜３．４ｋＨｚ（本発明でいう一の所定周波数帯域）を記憶しており、一方、ハンズフリー用帯域条件（ｆＨＦ＿Ｂ）として上記した０．３ｋＨｚ〜３．４ｋＨｚから低周波数帯域を除いた例えば０．５ｋＨｚ〜３．４ｋＨｚ（本発明でいう他の所定周波数帯域）を記憶している。
【００７０】
制御部１２は、図９示すように、ハンドセット使用状態であるときには、ハンドセット用閾値／帯域条件テーブルから例えば音声パワー閾値（ＴＨＳ＿Ｐ）を読出すと共に、帯域条件（ｆＨＳ＿Ｂ）を読出し、そして、ＶＯＸ制御部１０は、送話音声にあって帯域条件が示す周波数帯域におけるパワーを音声パワー閾値（ＴＨＦ＿Ｐ）と比較することにより、有音区間或いは無音区間を判定する。
【００７１】
また、制御部１２は、ハンズフリー使用状態であるときには、ハンズフリー用閾値／帯域条件テーブルから例えば音声パワー閾値（ＴＨＦ＿Ｐ）を読出すと共に、帯域条件（ｆＨＦ＿Ｂ）を読出し、そして、ＶＯＸ制御部１０は、送話音声にあって帯域条件が示す周波数帯域におけるパワーを音声パワー閾値（ＴＨＦ＿Ｐ）と比較することにより、有音区間或いは無音区間を判定する。
【００７２】
さらに、制御部１２は、イヤホン使用状態であるときには、イヤホン用閾値／帯域条件テーブルから例えば音声パワー閾値（ＴＥＭ＿Ｐ）を読出すと共に、帯域条件（ｆＥＭ＿Ｂ）を読出し、そして、ＶＯＸ制御部１０は、送話音声にあって帯域条件が示す周波数帯域におけるパワーを音声パワー閾値（ＴＥＭ＿Ｐ）と比較することにより、有音区間或いは無音区間を判定する。
【００７３】
以上に説明したように第４実施例によれば、上記した第１実施例と同様の作用効果を得ることができる。特に、この場合は、携帯電話機１がハンドセット使用状態或いはイヤホン使用状態に遷移していれば、０．３ｋＨｚ〜３．４ｋＨｚの周波数帯域の帯域条件に基づいてＶＯＸ機能を働かせ、一方、携帯電話機１がハンズフリー使用状態に遷移していれば、０．３ｋＨｚ〜３．４ｋＨｚの周波数帯域から低周波数帯域を除いた例えば０．５ｋＨｚ〜３．４ｋＨｚの周波数帯域の帯域条件に基づいてＶＯＸ機能を働かせるように構成したので、一般的に、ハンズフリー使用状態では、車内において使用されることが多く、運転中における周囲音の低周波数帯域の影響を受け易いことを鑑みると、低周波数帯域を除くことにより、その分、ＶＯＸ機能を的確に働かせることができる。
【００７４】
（第５の実施の形態）
次に、本発明の第５実施例について、図１０を参照して説明する。尚、上記した第１実施例と同一部分には同一符号を付して説明を省略し、以下、異なる部分について説明する。
上記した第１実施例では、ハンズフリーマイク３およびイヤホンマイク４の接続状態を検出した検出結果に応じて、閾値／帯域条件テーブルを選択するように構成したものであるが、これに対して、この第５実施例では、キーの操作を検出した検出結果に応じて、閾値／帯域条件テーブルを選択するように構成したものである。
【００７５】
すなわち、携帯電話機２１において、操作部２２（本発明でいう操作手段）は、通話を開始するための通話開始キー、通話を終了するための通話終了キー、電話番号を入力するための「０」〜「９」の数字キー、各種の機能を設定・解除するための機能キー（ファンクションキー）などの多数のキーを配列しており、キーの操作が行われると、キーの操作を示すキー操作通知を制御部２３（本発明でいう制御手段）に出力する。
【００７６】
制御部２３は、操作部２２からキー操作通知を入力すると、その入力したキー操作通知に応じてキーの操作を検出し、その検出結果に応じて閾値／帯域条件テーブルを選択し、その選択した閾値／帯域条件テーブルが記憶している４つの閾値のうちから少なくとも１つの閾値を選択し、その選択した閾値を読出すと共に、場合によっては、その選択した閾値／帯域条件テーブルが記憶している帯域条件をも読出す。
【００７７】
また、制御部２３は、その検出結果に応じて切替指令を切替部２４に出力し、切替部２４は、制御部２３から切替指令を入力すると、その入力した切替指令に応じて送話音声の経路を切替える。
【００７８】
以上に説明したように第５実施例によれば、上記した第１実施例と同様の作用効果を得ることができる。特に、この場合は、操作部２２における操作に応じて閾値或いは帯域条件を読出し、その読出した閾値或いは帯域条件に基づいてＶＯＸ機能を働かせるように構成したので、操作部２２において操作を行うことにより、携帯電話機１がいずれの使用状態であっても、手動により、ＶＯＸ機能を的確に働かせることができる。
【００７９】
（その他の実施の形態）
本発明は、上記した実施例にのみ限定されるものでなく、次のように変形または拡張することができる。
移動電話機は、携帯電話機に限らず、車載用電話機であっても良く、また、ＰＤＣ（パーソナルデジタルセルラー）方式の電話機、ＣＤＭＡ（符号分割多元接続）方式の電話機や他の通信方式を採用した電話機であっても良い。
【００８０】
第３実施例において、全体としての閾値／帯域条件テーブルの数は、「９」に限らず、それ以外の数であっても良く、また、キーの操作に応じて、いずれかの閾値／帯域条件テーブルを選択するように構成しても良い。
第４実施例において、各使用状態における帯域条件の周波数帯域は、０．３ｋＨｚ〜３．４ｋＨｚ或いは０．５ｋＨｚ〜３．４ｋＨｚに限らず、それ以外の周波数帯域であっても良い。
１つの物理量に対して複数の閾値を用いても良く、例えば音声パワー閾値として２つの閾値を用意し、送話音声のパワーが一の音声パワー閾値未満である状態を一定時間継続し、その後、送話音声のパワーが他の音声パワー閾値以上であれば、有音区間であると判定する構成であっても良い。
【００８１】
各実施例において、上記した処理を行うプログラムは、最初（例えば製品化の段階）から記憶部に記憶されているものに限らず、例えば特定のサーバからネットワークを通じて移動電話機にダウンロードしたり或いはカードなどの記憶媒体から移動電話機に転送し、インストールされるものであっても良い。
【図面の簡単な説明】
【図１】本発明の第１実施例の電気的な構成を示す機能ブロック図
【図２】閾値／帯域条件テーブルを示す図
【図３】使用状態と閾値／帯域条件との関係を示す図
【図４】制御内容を示すフローチャート
【図５】本発明の第２実施例を示す図３相当図
【図６】本発明の第３実施例を示す図２相当図
【図７】図６相当図
【図８】図６相当図
【図９】本発明の第４実施例を示す図３相当図
【図１０】本発明の第５実施例の電気的な構成を示す機能ブロック図
【符号の説明】
図面中、１は携帯電話機（移動電話機）、２はハンドセットマイク、３はハンズフリーマイク、４はイヤホンマイク、６は使用状態検出部（使用状態検出手段）、１０はＶＯＸ制御部（ＶＯＸ制御手段）、１２は制御部（制御手段）、１３は記憶部（記憶手段）、２１は携帯電話機（移動電話機）、２２は操作部（操作手段）、２３は制御部（制御手段）である。
【図１】
0003760787.tif 000002
【図２】
0003760787.tif 000003
【図３】
0003760787.tif 000004
【図４】
0003760787.tif 000005
【図５】
0003760787.tif 000006
【図６】
0003760787.tif 000007
【図７】
0003760787.tif 000008
【図８】
0003760787.tif 000009
【図９】
0003760787.tif 000010
【図１０】
0003760787.tif 000011